(57)【要約】【課題】包装用材料の連続帯および引き剥がし紐をユーザの機械へと送るための方法であって、前記不都合を解消すべく設計された方法を提供すること。【解決手段】包装用材料の連続帯（２）および引き剥がし紐（３）をユーザの機械（４）へと送るための方法および装置であって、該方法および装置によって、連続帯（２）および引き剥がし紐（３）が、それぞれのリール（７、１３）から同時に引き出され、それぞれの経路（６、１２）に沿って同じ速度で接合設備（２３）を通って送られ、該接合設備（２３）で連続帯（２）と引き剥がし紐（３）とが、包装用材料の組合せ帯（２５）を形成すべく互いに接合され、該組合せ帯（２５）が、連続帯（２）および引き剥がし紐（３）に第１の引っ張り力（Ｆ１）を加える牽引手段（３５）によってユーザの機械（４）へと送られ、追加の牽引手段（２８、２９）が、対応するリール（１３）と接合設備（２３）との間を延びる引き剥がし紐（３）の部分（３６）と関係し、該部分（３６）に第１の引っ張り力（Ｆ１）と同じ方向に第２の引っ張り力（Ｆ２）を加える。【選択図】  図１
2004299789.tif 000002
【特許請求の範囲】
【請求項１】
包装用材料の連続帯（２）および引き剥がし紐（３）をユーザの機械（４）へと送るための方法であって、
前記連続帯（２）および前記引き剥がし紐（３）を、それぞれのリール（７、１３）から同時に引き出す工程、
連続帯（２）および引き剥がし紐（３）を、接合設備（２３）を通過して延びるそれぞれの経路（６、１２）に沿って、同じ速度で送る工程、
包装用材料の組合せ帯（２５）を形成するために、前記接合設備（２３）にて連続帯（２）と引き剥がし紐（３）とを互いに接合する工程、および
組合せ帯（２５）を通じて連続帯（２）および引き剥がし紐（３）に第１の引っ張り力（Ｆ１）を加える第１の牽引手段（３５）により、組合せ帯（２５）を前記ユーザの機械（４）へと送る工程
を含み、さらに
前記第１の引っ張り力（Ｆ１）と同時かつ前記第１の引っ張り力（Ｆ１）に加えて、第２の牽引手段（２８、２９）によって第２の引っ張り力（Ｆ２）を、対応する前記リール（１３）と前記接合設備（２３）の間を延びる引き剥がし紐（３）の部分（３６）に加える工程
を含むことを特徴とする方法。
【請求項２】
前記第２の引っ張り力（Ｆ２）が、引き剥がし紐（３）の前記部分（３６）をプーリ（２８）に巻きつけ、該プーリ（２８）に接合設備（２３）へと向かう引き剥がし紐（３）の前記部分（３６）の移動方向と同じ方向に所与の駆動トルク（Ｍ）を加えることによって加えられる請求項１に記載の方法。
【請求項３】
前記プーリ（２８）の速度が、該プーリ（２８）に引き剥がし紐（３）の移動速度と同じ周速度を与えるよう制御される請求項２に記載の方法。
【請求項４】
前記第１および第２の引っ張り力（Ｆ１、Ｆ２）の和が、少なくとも前記引き剥がし紐（３）を対応する前記リール（１３）から引き出すために充分な引っ張り力（Ｆ３）である先行する請求項１〜３の１項に記載の方法。
【請求項５】
前記第１の引っ張り力（Ｆ１）が、少なくとも連続帯（２）を対応する前記リール（７）から引き出すために充分である請求項１〜４の１項に記載の方法。
【請求項６】
包装用材料の連続帯（２）および引き剥がし紐（３）をユーザの機械（４）へと送るための装置であって、
前記連続帯（２）のリール（７）および前記引き剥がし紐（３）のリール（１３）であり使用時に動力によって同じ周速度で回転させられる前記第１および前記第２のリール（７、１３）を、それぞれ支持している第１および第２の支持手段（９、１５）、
それぞれが連続帯（２）および引き剥がし紐（３）を、それぞれの経路（６、１２）に沿って案内する第１および第２の案内手段（２６、２７）、
前記両経路（６、１２）が通過する接合設備（２３）、
包装用材料の組合せ帯（２５）を形成すべく連続帯（２）と引き剥がし紐（３）とを互いに接合するため、前記接合設備（２３）に位置する接合手段（２２、２４）、および
前記組合せ帯（２５）と協同して、第１の引っ張り力（Ｆ１）を連続帯（２）および引き剥がし紐（３）に伝える第１の牽引手段（３５）
を含み、
前記第１の引っ張り力（Ｆ１）と同時かつ前記第１の引っ張り力（Ｆ１）に加えて、第２の引っ張り力（Ｆ２）を、対応する前記リール（１３）および接合設備（２３）の間を延びる引き剥がし紐（３）の部分（３６）に加えるための第２の牽引手段（２８、２９）
を含むことを特徴とする装置。
【請求項７】
前記第２の牽引手段（２８、２９）が、
引き剥がし紐（３）の前記部分（３６）と協同するプーリ（２８）、および
前記プーリ（２８）に、前記接合設備（２３）へと向かう引き剥がし紐（３）の前記部分（３６）の移動方向と同じ方向に所与のトルク（Ｍ）を加えるための駆動手段（２９）
を含む請求項６に記載の装置。
【請求項８】
制御手段（１７）が、前記リール（７、１３）の周速度と等しい周速度、すなわち引き剥がし紐（３）の移動速度と等しい周速度を前記プーリ（２８）に与えるよう前記駆動手段（２９）を制御するために設けられている請求項７に記載の装置。
【請求項９】
前記第１および前記第２の引っ張り力（Ｆ１、Ｆ２）の和が、少なくとも前記引き剥がし紐（３）を対応する前記リール（１３）から引き出すために充分な引っ張り力（Ｆ３）である請求項６〜８の１項に記載の装置。
【請求項１０】
前記第１の引っ張り力（Ｆ１）が、少なくとも前記連続帯（２）を対応する前記リール（７）から引き出すために充分である請求項６〜９の１項に記載の装置。
【発明の詳細な説明】
【技術分野】
【０００１】
本発明は、包装用材料の連続帯および引き剥がし紐をユーザの機械へと送るための方法および装置に関する。
【０００２】
本発明は、セロハン包装機や上包み機で使用すると特に好都合であり、以下の説明もこれらに関するが、あくまで例示であり本発明がこれらに限定されるわけではない。
【背景技術】
【０００３】
セロハン包装機が包装材料送り装置を利用することは既に知られている。包装材料送り装置では、包装用材料の連続帯および引き剥がし紐がそれぞれのリールから引き出され、それぞれの経路に沿って同じ速度で送られて接合設備を通過し、該接合設備で連続帯および引き剥がし紐が接合されて組合せ帯となり、該組合せ帯が牽引機構によってセロハン包装機の入り口へと送られる。
【０００４】
上述の形式の公知の送り装置の２つのリールは、それぞれのモータによって駆動され、２つのリールの周速度が常に等しくなるように制御され、連続帯およびこれに組み合わされる引き剥がし紐を引き出すために必要な引っ張りは、牽引機構によってもたらされる。
【０００５】
上記に関し、連続帯を引き出すために必要な引っ張りが比較的小さいのに対し、冷間貼り付けの粘着紐である引き剥がし紐は、引き出しにはるかに大きな引っ張りを必要とし、したがって牽引機構が組合せ帯に対し、引き剥がし紐を引き出すために必要とされる大きな引っ張りを加えなければならない点に注意すべきである。
【０００６】
これは、組合せ帯を形成すべく接合される帯と紐とで幅が大きく異なっているため、引き剥がし紐を引き出すために必要な引っ張りが加えられたとき、引き剥がし紐が接合設備よりも上流において連続帯よりもかなり大きな割合の伸びを受けるという理由で、いくつかの不都合を引き起こしかねない。牽引機構の下流においては組合せ帯に引っ張りは加わらず、連続帯および引き剥がし紐の両者は元の状態へと弾性的に回復することができるが、引き剥がし紐の回復量の方が大きいため、連続帯が引き剥がし紐による圧縮に耐えて引き剥がし紐の弾性回復を妨げることができるほど剛ではない通常の場合には、連続帯にしわがよる可能性がある。
【発明の開示】
【発明が解決しようとする課題】
【０００７】
本発明の目的は、包装用材料の連続帯および引き剥がし紐をユーザの機械へと送るための方法であって、前記不都合を解消すべく設計された方法を提供することにある。
【課題を解決するための手段】
【０００８】
本発明によれば、包装用材料の連続帯および引き剥がし紐をユーザの機械へと送るための方法であって請求項１に記載の方法が提供され、好ましくは、請求項１に後続し請求項１に直接または間接的に従属する複数の請求項のいずれか１つに記載の方法が提供される。
【０００９】
さらに本発明によれば、包装用材料の連続帯および引き剥がし紐をユーザの機械へと送るための装置であって請求項６に記載の装置が提供され、好ましくは、請求項６に後続し請求項６に直接または間接的に従属する複数の請求項のいずれか１つに記載の装置が提供される。
【００１０】
本発明を、一実施の形態の概略を示した添付の図面を参照しつつ説明するが、本発明がこの実施の形態に限られるわけではない。
【発明を実施するための最良の形態】
【００１１】
添付の図面において参照番号１は、通常は透明な包装用材料であるが、包装用材料の連続帯２および引き剥がし紐３をセロハン包装機４へと送るための装置の全体を示している。
【００１２】
装置１は、リール７から経路６に沿って帯２を送るための第１のライン５、およびリール１３から経路１２に沿って引き剥がし紐３を送るための第２のライン１１を含み、リール７の芯８が、リール７を支持する軸９に取り付けられ、モータ１０によって自身の中心軸の周りを回転し、リール１３の芯１４が、リール１３を支持する軸１５に取り付けられ、モータ１６によって自身の中心軸の周りを回転する。
【００１３】
論理演算装置１７に接続され、各々がリール７および１３の外周にそれぞれ接するフィーラ(feelers，触角）２０および２１を有している公知のトランスデューサ１８および１９によって、リール７および１３の外径が時々刻々測定され、論理演算装置１７が、リール７および１３の外周に同じ線速度を与えるべく、モータ１０および１６をフィードバック制御する。
【００１４】
２つの経路６および１２は接合設備２３の搬送板２２上で１つに収束し、ここで、公知のアクチュエータ（図示せず）によって搬送板２２と接する動作位置へと往復するパッド２４により、帯２と引き剥がし紐３が一体に接合され、引き剥がし紐つきの完成した包装用材料の組合せ帯２５が形成される。
【００１５】
接合設備２３の上流において、経路６は案内プーリ２６を含む案内装置によって規定され、経路１２は、複数の案内プーリ２７を含む案内装置、および半径Ｒの駆動プーリ２８を含む牽引機構によって規定されている。駆動プーリ２８は、軸１５と平行な各中心軸３０の周りを、接合設備２３へと向かう引き剥がし紐３の移動方向と同じ方向に、モータ２９を動力として回転する。モータ２９はトルクＭが一定の可変速モータであり、駆動プーリ２８の外周における引き剥がし紐３の滑りを防止するため、引き剥がし紐３と接している駆動プーリ２８の外周の接線速度が、値および符号ともリール１３の接線速度と常に等しく保たれるよう、論理演算装置１７によって速度が制御される。
【００１６】
駆動プーリ２８のすぐ下流において、引き剥がし紐３が空気圧式補償機構３３のチャンバー３２内で屈曲部３１を形成しており、空気圧式補償機構３３が吸い上げヘッダ３４による吸引によって真空を生み出し、この真空によって経路１２の長さを変化させる。
【００１７】
接合設備２３の下流において、組合せ帯２５は、セロハン包装機４に到達する前に、公知の牽引機構３５を通過して送られる。牽引機構３５は、組合せ帯２５すなわち引き剥がし紐３および帯２に、帯２をリール７から引き出すには充分であるが帯２に対する引き剥がし紐３の伸びは顕著にならない比較的弱い引っ張り力Ｆ１を作用させる。しかしながら、冷間貼り付けの粘着紐である引き剥がし紐３は、引き出すためにはるかに大きい引っ張り力を必要とし、力Ｆ１だけでは、引き剥がし紐３をリール１３から引き出すためには小さすぎる。モータ２９によって、値がＦ２＝Ｍ／Ｒであり向きがＦ１と一致する補助力が、引き剥がし紐３の駆動プーリ２８とリール１３との間を延びる部分３６に付与され、その結果、引き剥がし紐３の駆動プーリ２８よりも下流の部分３７に引っ張り力Ｆ１が加わるのに対し、引っ張り紐３の部分３６には
Ｆ３＝Ｆ１＋Ｆ２＝Ｆ１＋Ｍ／Ｒ
である引っ張り力Ｆ３が加わり、この引っ張り力Ｆ３は、力Ｆ１を所要のとおり小さいが帯２を引き出すためには充分である大きさに保ちつつ、モータ１６のトルクによって任意の値とすることができる。
【００１８】
言い換えると、モータ２９と、リール１３の周速度と常に等しい周速度で回転する駆動プーリ２８とによって規定される追加の牽引機構を用いるだけで、牽引機構３５の下流で引っ張り力Ｆ１が除かれたときに組合せ帯２５に事実上しわが生じないよう、引き剥がし紐３の帯２に接合されようとする部分３７に加わる引っ張りを充分弱く保ちつつ、引き剥がし紐３に引き出しのために適切な引っ張りを加えることができる。
【図面の簡単な説明】
【００１９】
【図１】包装用材料の連続帯および引き剥がし紐をセロハン包装機へと送るための装置を示す概念図である。
【符号の説明】
【００２０】
１  装置
２  連続帯
３  引き剥がし紐
４  ユーザの機械
５  第１のライン
６  経路
７  リール
８  芯
９  軸
１０  モータ
１１  第２のライン
１２  経路
１３  リール
１４  芯
１５  軸
１６  モータ
１７  論理演算装置
１８  トランスデューサ
１９  トランスデューサ
２０  フィーラ
２１  フィーラ
２２  搬送板
２３  接合設備
２４  パッド
２５  組合せ帯
２６  案内プーリ
２７  案内プーリ
２８  プーリ
２９  モータ
３０  中心線
３１  屈曲部
３２  チャンバー
３３  空気圧式補償機構
３４  吸い上げヘッダ
３５  牽引機構
３６  部分
３７  部分
Ｆ１  第１の引っ張り力
Ｆ２  第２の引っ張り力
Ｆ３  引っ張り力
Ｒ  半径
Ｍ  トルク
【図１】
2004299789.tif 000003
【外国語明細書】
2004299789.tif 000004
2004299789.tif 000005
2004299789.tif 000006
2004299789.tif 000007
2004299789.tif 000008
2004299789.tif 000009
2004299789.tif 000010
2004299789.tif 000011
2004299789.tif 000012
2004299789.tif 000013
2004299789.tif 000014
2004299789.tif 000015